(57)【特許請求の範囲】
【請求項１】
内部にプリント基板が配置され、ベースと本体を結合させてなる電子機器用収納容器において、
前記ベースの内面側に添付するプリント基板の周縁端部の全ての位置を支持する基板支持部と、前記ベースの内面から立設され四角形に囲う枠部とを設け、該枠部に入出力配線を割り込ませるスリットを備えた構造としたことを特徴とする電子機器用収納容器。
【請求項２】
内部にプリント基板が配置され、ベースと本体を結合させてなる電子機器用収納容器において、
前記ベースの内面側に添付するプリント基板の周縁端部の全ての位置を支持する基板支持部と、前記プリント基板の中央に設けた切り抜き部と、前記ベースの中央部に設けた、該プリント基板の切り抜き部と同形の開口と、該ベースの開口に設けたネジを通して壁面に固定する固定穴とを備えたことを特徴とする電子機器用収納容器。
【請求項３】
前記開口を介して入出力配線がとりこまれることを特徴とする請求項２記載の電子機器用収納容器。
【発明の詳細な説明】
【０００１】
【発明の属する技術分野】
本発明は例えば集合住宅の管理人室あるいは高層ビル、その他の大規模建築物等に設置される電子機器用収納容器に関するものである。
【０００２】
【従来の技術】
例えば集合住宅の管理人室等あるいは高層ビル、その他の大規模建築物の管理室等に設置され、通信、情報および警報等の伝達用電子機器の端末機、その他に使用する電子機器用収納容器においては、設置後であっても入出力配線を容易に固定できるようにして、配線の自由度および作業性の改善を図るようにした例が特開昭６２−７６７００号公報に開示されている。該公報によれば、図７に示すようにベース１は上カバー２が被せられる浅い方形の箱形になっており、側面に切欠き１０および１１を設けるとともに、壁面１５と対向する部分にギャップ１２を設け、ベース１を壁面１５に取り付けた後でも入出力配線４を固定する束線バンド１６の挿入を可能にしたものである。ベース１の両端には取付け穴１３を有するつば部１４が形成されている。
【０００３】
【発明が解決しようとする課題】
しかしながら上記のような従来の電子機器用収納容器は、入出力配線を手作業で縛って結束しなければならない問題点がある。
【０００４】
本発明は上記のような問題点を解決するためになされたもので、入出力配線を縛ることなく纏めることができ、さらに、プリント基板に備えたピンジャックの抜き差し時の力によるプリント基板の破損を防止する構造を設け、開口が容易なノックアウト構造、ＬＥＤの発光が常時視認可能な覗き窓を備えた電子機器用収納容器を提供することを目的とする。
【０００５】
【課題を解決するための手段】
本発明に係る電子機器用収納容器は、内部にプリント基板が配置され、ベースと本体を結合させてなる電子機器用収納容器において、前記ベースの内面側に添付するプリント基板の周縁端部の全ての位置を支持する基板支持部と、前記ベースの内面から立設され四角形に囲う枠部とを設け、該枠部に入出力配線を割り込ませるスリットを備えた構造としたものである。
【０００６】
また、内部にプリント基板が配置され、ベースと本体を結合させてなる電子機器用収納容器において、前記ベースの内面側に添付するプリント基板の周縁端部の全ての位置を支持する基板支持部と、前記プリント基板の中央に設けた切り抜き部と、前記ベースの中央部に設けた、該プリント基板の切り抜き部と同形の開口と、該ベースの開口に設けたネジを通して壁面に固定する固定穴とを備えたものである。
【０００７】
また、前記開口を介して入出力配線がとりこまれるものである。
【００１０】
【発明の実施の形態】
図１は本発明の実施の形態を示す縦断面図およびベース内面の平面図、図２は同じくベースと本体を結合させたときの正面図、側面図、裏面図および底面図である。図において、６０は長方形のベースで、集合住宅の例えば管理人室等あるいは高層ビル、その他の大規模建築物の例えば管理室等の壁面に設置され、内部に電子部品類およびプリント基板が配置される。７０は本体で、直方体に形成され前記ベース６０に被せて、主に保護カバーとして機能させるものである。８０は通電灯カバーで、前記本体７０に設けた覗き窓７３を覆うものである。９０は長方形のプリント基板で、中央に長方形の切り抜き部９１が設けられている。また、プリント基板９０には、覗き窓７５と対向する位置に、ＬＥＤ９０ａが設けられる。
【００１１】
前記ベース６０は前記プリント基板９０の切り抜き部９１と同形の開口６１が設けられている。また、前記ベース６０は内面にプリント基板９０の外周に沿って端面および片面を支持する基板支持部６２と、切り抜き部９１の周縁に沿って片面を支持する基板支持部６３が垂設されている。前記基板支持部６２および６３は、載置するプリント基板９０の周縁端部の全ての位置を支持する。プリント基板９０は基板支持部６２および６３に沿った位置、その他の所望の位置にダボ６４を設けてビス止めされる。
【００１２】
なお、プリント基板９０に接続され、本体外から後述するノックアウト７２または開口６１を介してとりこまれる入出力配線は、ベース６０の内面端部から立設した四角形に囲う枠部６５の内側に纏めるようになっており、上辺の中央に設けたＶ状のスリット６６から枠部６５を外側に押し広げて割り込ませる。
前記枠部６５は、詳細を図３に示すようにベース６０の内面端部からの立ち上がる部分には、ベース６０に向かって広がる補強リブ６５ａが設けられ、上部の内側隅角部には補強板６５ｂが設けられている。これにより配線の束が大きく、枠部６５が広く開放されても、枠部６５が破損することはない。また、入出力配線はベース６０の内面と平行な上辺の中央に設けたＶ状のスリット６６から割り込ませれば、ばらけないように枠部６５内で纏められる。なお、スリット６６は外側が広いＶ字状に形成されているので、枠部６５内に収容された入出力配線は枠部６５から外れにくい。
また、ベース６０は、その中央部に設けた固定穴６７にネジを通して壁等に固定される。カギ爪６８は本体７０のカギ爪７１に係止して本体７０を外れないように固定するものである。
【００１３】
図４は前記枠部６５の他の形態を示す拡大説明図である。この形態の枠部６５は、ベース６０の内面と平行な上辺を中央に設けたＶ状スリット６６に向かって下り勾配としたものである。この結果、入出力配線は上辺に対して押圧すれば、特にＶ状スリット６６の位置に合わせなくともＶ状スリット６６に向かって滑り、枠部６５内に収容される。
【００１４】
前記本体７０は、上下の内面端部に設けられたカギ爪７１をベース６０の端部に設けたカギ爪６８に掛けて取り外し可能に止められる。また、本体７０は上部および下部に入出力配線用として方形に開口するノックアウト７２を設けている。
また、正面上部の左側に設けた覗き窓７３は、透明板で形成した通電灯カバー８０が添設されている
【００１５】
前記ノックアウト７２は、図５に詳細を示すように本体７０の内面側の所望の範囲に沿って設けた溝の片方の側壁を、溝底に向かって狭くなる傾斜を設けたものである。この結果、必要に応じて打ち抜く際に、例えばドライバー等の先端の尖った工具を差し込み易くなる。
前記ノックアウト７２は溝の両方の側壁が溝底に向かって狭くなる傾斜を設けてもよいものである。
【００１６】
図６は本発明のノックアウト構造の他の形態を示す外面図、内面図および端面拡大図である。この実施の形態においては、ノックアウト７２が本体７０を裏側から表側へ溝底の一部を除いて貫通させたもので、打ち抜き易さが向上する。また、前記ベースの内面から立設した四角形に囲う枠部がスリットに向かって下り勾配を備えた構造としたので、入出力配線をさらに容易に纏められる。また、本体の内面側の所望の範囲に沿って設けた溝の側壁を溝底に向かって狭くなる傾斜のノックアウトを設けたので、打ち抜きが容易である。また、本体に設けた覗き窓に透明板で形成した通電灯カバーを添設したので、通電状態を認識するためのＬＥＤの発光をベースから本体を外さずに常時視認することで、機器が正常に動作しているかを確認できる。
【００１７】
【発明の効果】
以上のように本発明によれば、ベースの内面側に添付するプリント基板の周縁端部の全ての位置を支持する基板支持部を設けたので、ピンジャック類の差し込みに際して、その押圧力がプリント基板の一部に集中することがなく破損するのを防止できる。また、入出力配線の切りカスが基板の下に入り込むのを防ぐことができる。また、ベースの内面から四角形に囲う枠部を立設し、該枠部に入出力配線を割り込ませるスリットを備えた構造としたので、該入出力配線を縛る等の手作業を必要とせず、ばらけないように容易に纏められる。
【図面の簡単な説明】
【図１】本発明の実施の形態を示す縦断面図およびベース内面の平面図である。
【図２】本発明の実施の形態を示す正面図、側面図、裏面図、底面図およびプリント基板の平面図である。
【図３】図１のＦ部を示す拡大説明図である。
【図４】図１のＦ部の他の実施の形態を示す拡大説明図である。
【図５】本発明の実施の形態のノックアウト構造を示す外面図、内面図および端面拡大図である。
【図６】本発明の実施の形態のノックアウト構造の他の形態を示す外面図、内面図および端面拡大図である。
【図７】従来の実施の形態を示す平面図および使用状態の側面図である。
【符号の説明】
６０  ベース
６１  開口
６２，６３  基板支持部
６４  ダボ
６５  枠部
６５ａ  補強リブ
６５ｂ  補強板
６６  スリット
６７  固定穴
６８  カギ爪
７０  本体
７１  カギ爪
７２  ノックアウト
７３  覗き窓
８０  通電灯カバー
９０  プリント基板
９１  切り抜き部
【図１】
0003766922.tif 000002
【図２】
0003766922.tif 000003
【図３】
0003766922.tif 000004
【図４】
0003766922.tif 000005
【図５】
0003766922.tif 000006
【図６】
0003766922.tif 000007
【図７】
0003766922.tif 000008